(57)【特許請求の範囲】
【請求項１】
動体の存在を検知するセンサと；
前記センサによる動体の非検知時における照明制御に関する複数の動作モードであって、前記非検知時のうち、前記非検知時において照明器具の点灯を継続する時間である保持時間及び所定のフェード時間以外は前記照明器具を消灯する通常モードと、前記非検知時においても前記照明器具の点灯を維持する残置モード、または、前記非検知時のうち、前記保持時間、前記所定のフェード時間、及び所定のディレイ時間以外は前記照明器具を消灯する省エネモードの少なくとも一方と、を含む複数の動作モードからの動作モードの選択に応じて、選択された前記動作モードが前記残置モードまたは前記省エネモードである場合、所定の範囲で前記保持時間を変動させる制御部と；
を具備することを特徴とする照明制御システム。
【請求項２】
前記制御部は、前記動作モードの各々に対応する前記保持時間から、選択された動作モードに対応する前記保持時間を選択する
ことを特徴とする請求項１に記載の照明制御システム。
【請求項３】
前記制御部は、前記保持時間の終了後における前記照明器具の出力を段階的に低下させる期間において、前記センサが動体の存在を検知した場合、前記保持時間を増加させる
ことを特徴とする請求項１または請求項２に記載の照明制御システム。
【請求項４】
前記制御部は、前記保持時間の終了後における前記照明器具の出力を段階的に低下させる期間において、前記センサが動体の存在を検知しなかった場合、前記保持時間を減少させる
ことを特徴とする請求項１〜３のいずれか１項に記載の照明制御システム。
【請求項５】
前記制御部は、前記センサが動体の存在を検知後、所定の時間経過後に前記センサが動体の存在を検知した場合、前記保持時間を増加させる
ことを特徴とする請求項１〜４のいずれか１項に記載の照明制御システム。
【請求項６】
前記制御部は、前記保持時間の終了後における前記照明器具の出力を段階的に低下させる期間において、前記センサが動体の存在を検知しなかった場合、前記保持時間を所定の基準時間に設定する
ことを特徴とする請求項１〜５のいずれか１項に記載の照明制御システム。
【発明の詳細な説明】
【技術分野】
【０００１】
本発明の実施形態は、照明制御システムに関する。
【背景技術】
【０００２】
従来、人感センサ等のセンサによる検知に基づいて照明制御を行う技術が提供されている。このような技術は、例えばオフィスや通路等の様々な場所に設置される照明器具の制御に用いられる。例えば、センサにより人の存在が検知された場合は照明器具を点灯し、センサによる人の検知が無くなってから所定時間だけ点灯を継続した後に照明器具を暗くする。
【先行技術文献】
【特許文献】
【０００３】
【特許文献１】特開２０１１−１２４９６８号公報
【発明の概要】
【発明が解決しようとする課題】
【０００４】
ところで、上記のようなセンサの検知に基づく照明制御を行う場合、センサによる人の検知が無くなってからどの程度点灯を継続した後に照明器具を暗くするかを決定することが難しい。したがって、このような照明制御を行うシステムでは、照明制御における設定が難しいといった課題がある。
【０００５】
本発明は、照明制御における設定を容易化する照明制御システムを提供することを目的とする。
【課題を解決するための手段】
【０００６】
本実施形態の照明制御システムは、センサと、制御部とを具備する。センサは、動体の存在を検知する。制御部は、センサによる動体の非検知時における照明制御に関する動作モードの選択に応じて、非検知時において照明器具の点灯を継続する時間である保持時間を変動させる。
【発明の効果】
【０００７】
本発明によれば、照明制御における設定を容易化することができる。
【図面の簡単な説明】
【０００８】
【図１】図１は、実施形態に係る照明制御システムにおける照明制御を示す図である。
【図２】図２は、実施形態に係る照明制御システムを示す図である。
【図３】図３は、実施形態に係る制御装置の構成を示すブロック図である。
【図４】図４は、実施形態に係るモード情報記憶部に記憶される情報の一例を示す図である。
【図５】図５は、実施形態に係る照明情報記憶部に記憶される情報の一例を示す図である。
【図６】図６は、実施形態に係る照明制御の一例を示すフローチャートである。
【図７】図７は、実施形態に係る動作モードにおける保持時間を変動させる照明制御を示す図である。
【発明を実施するための形態】
【０００９】
以下で説明する実施形態に係る照明制御システム１は、動体の存在を検知するセンサ１４０と、センサ１４０による動体の非検知時における照明制御に関する動作モードの選択に応じて、非検知時において照明器具５０の点灯を継続する時間である保持時間を変動させる制御部１３０とを具備する。
【００１０】
また、以下で説明する実施形態に係る照明制御システム１において、制御部１３０は、動作モードの各々に対応する保持時間から、選択された動作モードに対応する保持時間を選択する。
【００１１】
また、以下で説明する実施形態に係る照明制御システム１において、制御部１３０は、保持時間の終了後における照明器具５０の出力を段階的に低下させる期間において、センサ１４０が動体の存在を検知した場合、保持時間を増加させる。
【００１２】
また、以下で説明する実施形態に係る照明制御システム１において、制御部１３０は、保持時間の終了後における照明器具５０の出力を段階的に低下させる期間において、センサ１４０が動体の存在を検知しなかった場合、保持時間を減少させる。
【００１３】
また、以下で説明する実施形態に係る照明制御システム１において、制御部１３０は、センサ１４０が動体の存在を検知後、所定の時間経過後にセンサ１４０が動体の存在を検知した場合、保持時間を増加させる。
【００１４】
また、以下で説明する実施形態に係る照明制御システム１において、制御部１３０は、保持時間の終了後における照明器具５０の出力を段階的に低下させる期間において、センサ１４０が動体の存在を検知しなかった場合、保持時間を所定の基準時間に設定する。
【００１５】
［実施形態］
まず、本発明の実施形態に係る照明制御システム１における照明制御を図１及び図２に基づいて説明する。図１は、実施形態に係る照明制御システムにおける照明制御を示す図である。図２は、実施形態に係る照明制御システムを示す図である。図２に示すように、照明制御システム１は、センサ１４０を有する制御装置１００と、複数の照明器具５０−１、５０−２等とを具備する。以下では、照明器具５０−１、５０−２等について、特に区別なく説明する場合には、照明器具５０と記載する。
【００１６】
なお、照明器具５０は、制御装置１００からの指示に応じて調光可能であれば、どのような照明器具であってもよい。例えば、照明器具５０には、蛍光灯やＬＥＤ（Light  Emitting  Diode）等、目的に応じて種々の光源が用いられてもよい。
【００１７】
まず、図１を用いて、選択される動作モードに基づいて、センサ１４０による動体（以下、「人」とする）の検知に応じた照明器具５０の制御を例示する。なお、以下に示す例においては、動作モードとして、「通常モード」、「残置モード」、「省エネモード」の３つのモードが選択可能であるものとする。
【００１８】
まず、図１の（Ａ）は、動作モードとして「通常モード」が選択されている場合における照明制御の例を示す。図１の（Ａ）に示す例において、時刻を横軸とし、出力を縦軸とするグラフ、すなわち上側のグラフは、照明器具５０における光の出力を示す。また、照明器具５０における光の出力を示すグラフの横軸に対応付けて図示するグラフ、すなわち下側のグラフ（図１の（Ａ）中の一点鎖線で示すグラフ）は、制御装置１００のセンサ１４０における人の検知状態を示す。また、通常モードにおいては、人の存在が検知されていないとき（以下、「非検知時」とする場合がある）は、後述する保持時間や不在フェード時間以外は、照明器具５０の出力は出力０（％）を維持する、すなわち照明器具５０は消灯される。
【００１９】
ここで、図１の（Ａ）では、時刻０〜ｔ１０の間は、非検知時であるため、照明器具５０の出力は出力０（％）である。そして、時刻ｔ１０において人の存在が検知されたため、人の存在が検知され続けている間、制御装置１００は、照明器具５０の出力を徐々に増加させる。以下、制御装置１００が非検知時から照明器具５０の出力を徐々に増加させることを「在フェード」とする場合がある。例えば、制御装置１００は、人の存在が検知され続けている時刻ｔ１０〜ｔ１１の間、照明器具５０の出力を出力Ｐ１（％）まで徐々に増加させる。すなわち、制御装置１００は、時刻ｔ１０から在フェード時間ＥＴ１１の間、照明器具５０の出力を出力Ｐ１（％）まで徐々に増加させる。例えば、図１の（Ａ）では、出力Ｐ１（％）が照明器具５０の出力の最大値であってもよい。
【００２０】
時刻ｔ１０から在フェード時間ＥＴ１１以上経過した後、人の存在が検知されなくなった場合、制御装置１００は、保持時間ＨＴ１１だけ照明器具５０の出力を出力Ｐ１（％）で維持させる。なお、図１の（Ａ）では説明のため、時刻ｔ１０から在フェード時間ＥＴ１１が経過直後に人の存在が検知されなくなった場合を示す。そのため、図１の（Ａ）では、在フェード時間ＥＴ１１が経過すると、保持時間ＨＴ１１が開始する。また、時刻ｔ１０から在フェード時間ＥＴ１１が経過する前に人の存在が検知されなくなった場合、制御装置１００は、保持時間ＨＴ１１だけ照明器具５０の点灯を維持することなく、照明器具５０の出力を徐々に低下させてもよい。
【００２１】
その後、制御装置１００は、時刻ｔ１１〜ｔ１２の間は非検知時であるため、照明器具５０の出力を出力Ｐ１（％）で維持させる。すなわち、制御装置１００は、時刻ｔ１１から保持時間ＨＴ１１の間、照明器具５０の出力を出力Ｐ１（％）で維持させる。なお、制御装置１００は、時刻ｔ１１〜ｔ１２の間のある時刻ｔｘにセンサ１４０が人の存在を検知した場合、時刻ｔｘから再度保持時間ＨＴ１１を計時し、保持時間ＨＴ１１が経過するまで、照明器具５０の出力を出力Ｐ１（％）で維持させてもよい。
【００２２】
時刻ｔ１１から保持時間ＨＴ１１が経過した時刻ｔ１２から、制御装置１００は、照明器具５０の出力を徐々に低下させる。以下、制御装置１００が保持時間経過後において照明器具５０の出力を徐々に低下させることを「不在フェード」とする場合がある。例えば、制御装置１００は、時刻ｔ１２〜ｔ１３の間、照明器具５０の出力を出力０（％）まで徐々に低下させる。すなわち、制御装置１００は、時刻ｔ１２から不在フェード時間ＮＴ１１の間、照明器具５０の出力を出力０（％）まで徐々に低下させる。このように、照明制御システム１は、動作モードとして「通常モード」が選択されている場合、保持時間ＨＴ１１だけ照明器具５０の点灯を維持するように照明制御を行う。
【００２３】
次に、図１の（Ｂ）は、動作モードとして「残置モード」が選択されている場合における照明制御の例を示す。図１の（Ｂ）に示す例において、時刻を横軸とし、出力を縦軸とするグラフ、すなわち上側のグラフは、照明器具５０における光の出力を示す。また、照明器具５０における光の出力を示すグラフの横軸に対応付けて図示するグラフ、すなわち下側のグラフ（図１の（Ｂ）中の一点鎖線で示すグラフ）は、制御装置１００のセンサ１４０における人の検知状態を示す。また、残置モードにおいては、非検知時は、保持時間や不在フェード時間以外は、照明器具５０の出力は出力Ｐ１２（％）を維持する、すなわち照明器具５０は非検知時においても一定の光を出力する。
【００２４】
ここで、図１の（Ｂ）では、時刻０〜ｔ２０の間は、非検知時であるため、照明器具５０の出力は出力Ｐ１２（％）である。そして、時刻ｔ２０において人の存在が検知されたため、人の存在が検知され続けている間、制御装置１００は、照明器具５０の出力を徐々に増加させる。例えば、制御装置１００は、人の存在が検知され続けている時刻ｔ２０〜ｔ２１の間、照明器具５０の出力を出力Ｐ１２よりも大きい出力Ｐ２（％）まで徐々に増加させる。すなわち、制御装置１００は、時刻ｔ２０から在フェード時間ＥＴ１２の間、照明器具５０の出力を出力Ｐ２（％）まで徐々に増加させる。例えば、図１の（Ｂ）では、出力Ｐ２（％）が照明器具５０の出力の最大値であってもよい。
【００２５】
時刻ｔ２０から在フェード時間ＥＴ１２以上経過した後、人の存在が検知されなくなった場合、制御装置１００は、保持時間ＨＴ１２だけ照明器具５０の出力を出力Ｐ２（％）で維持させる。なお、図１の（Ｂ）では説明のため、時刻ｔ２０から在フェード時間ＥＴ１２が経過直後に人の存在が検知されなくなった場合を示す。そのため、図１の（Ｂ）では、在フェード時間ＥＴ１２が経過すると、保持時間ＨＴ１２が開始する。また、時刻ｔ２０から在フェード時間ＥＴ１２が経過する前に人の存在が検知されなくなった場合、制御装置１００は、保持時間ＨＴ１２だけ照明器具５０の点灯を維持することなく、照明器具５０の出力を徐々に低下させてもよい。
【００２６】
その後、制御装置１００は、時刻ｔ２１〜ｔ２２の間は非検知時であるため、照明器具５０の出力を出力Ｐ２（％）で維持させる。すなわち、制御装置１００は、時刻ｔ２１から保持時間ＨＴ１２の間、照明器具５０の出力を出力Ｐ２（％）で維持させる。なお、制御装置１００は、時刻ｔ２１〜ｔ２２の間のある時刻ｔｙにセンサ１４０が人の存在を検知した場合、時刻ｔｙから再度保持時間ＨＴ１２を計時し、保持時間ＨＴ１２が経過するまで、照明器具５０の出力を出力Ｐ２（％）で維持させてもよい。
【００２７】
時刻ｔ２１から保持時間ＨＴ１２が経過した時刻ｔ２２から、制御装置１００は、照明器具５０の出力を徐々に低下させる。例えば、制御装置１００は、時刻ｔ２２〜ｔ２３の間、照明器具５０の出力を出力Ｐ１２（％）まで徐々に低下させる。すなわち、制御装置１００は、時刻ｔ２２から不在フェード時間ＮＴ１２の間、照明器具５０の出力を出力Ｐ１２（％）まで徐々に低下させる。このように、照明制御システム１は、動作モードとして「残置モード」が選択されている場合、保持時間ＨＴ１２だけ照明器具５０の点灯を維持するように照明制御を行う。
【００２８】
次に、図１の（Ｃ）は、動作モードとして「省エネモード」が選択されている場合における照明制御の例を示す。図１の（Ｃ）に示す例において、時刻を横軸とし、出力を縦軸とするグラフ、すなわち上側のグラフは、照明器具５０における光の出力を示す。また、照明器具５０における光の出力を示すグラフの横軸に対応付けて図示するグラフ、すなわち下側のグラフ（図１の（Ｃ）中の一点鎖線で示すグラフ）は、制御装置１００のセンサ１４０における人の検知状態を示す。また、省エネモードにおいては、非検知時は、保持時間や不在フェード時間や後述するディレイ時間以外は、照明器具５０の出力は出力０（％）を維持する、すなわち照明器具５０は消灯される。
【００２９】
ここで、図１の（Ｃ）では、時刻０〜ｔ３０の間は、非検知時であるため、照明器具５０の出力は出力０（％）である。そして、時刻ｔ３０において人の存在が検知されたため、人の存在が検知され続けている間、制御装置１００は、照明器具５０の出力を徐々に増加させる。例えば、制御装置１００は、人の存在が検知され続けている時刻ｔ３０〜ｔ３１の間、照明器具５０の出力を出力Ｐ３（％）まで徐々に増加させる。すなわち、制御装置１００は、時刻ｔ３０から在フェード時間ＥＴ１３の間、照明器具５０の出力を出力Ｐ３（％）まで徐々に増加させる。例えば、図１の（Ｃ）では、出力Ｐ３（％）が照明器具５０の出力の最大値であってもよい。
【００３０】
時刻ｔ３０から在フェード時間ＥＴ１３以上経過した後、人の存在が検知されなくなった場合、制御装置１００は、保持時間ＨＴ１３だけ照明器具５０の出力を出力Ｐ３（％）で維持させる。なお、図１の（Ｃ）では説明のため、時刻ｔ３０から在フェード時間ＥＴ１３が経過直後に人の存在が検知されなくなった場合を示す。そのため、図１の（Ｃ）では、在フェード時間ＥＴ１３が経過すると、保持時間ＨＴ１３が開始する。また、時刻ｔ３０から在フェード時間ＥＴ１３が経過する前に人の存在が検知されなくなった場合、制御装置１００は、保持時間ＨＴ１３だけ照明器具５０の点灯を維持することなく、照明器具５０の出力を徐々に低下させてもよい。
【００３１】
その後、制御装置１００は、時刻ｔ３１〜ｔ３２の間は非検知時であるため、照明器具５０の出力を出力Ｐ３（％）で維持させる。すなわち、制御装置１００は、時刻ｔ３１から保持時間ＨＴ１３の間、照明器具５０の出力を出力Ｐ３（％）で維持させる。なお、制御装置１００は、時刻ｔ３１〜ｔ３２の間のある時刻ｔｚにセンサ１４０が人の存在を検知した場合、時刻ｔｚから再度保持時間ＨＴ１３を計時し、保持時間ＨＴ１３が経過するまで、照明器具５０の出力を出力Ｐ３（％）で維持させてもよい。
【００３２】
時刻ｔ３１から保持時間ＨＴ１３が経過した時刻ｔ３２から、制御装置１００は、照明器具５０の出力を徐々に低下させる。例えば、制御装置１００は、時刻ｔ３２〜ｔ３３の間、照明器具５０の出力を出力Ｐ３よりも小さい出力Ｐ１３（％）まで徐々に低下させる。すなわち、制御装置１００は、時刻ｔ３２から不在フェード時間ＮＴ１３の間、照明器具５０の出力を出力Ｐ１３（％）まで徐々に低下させる。その後、制御装置１００は、時刻ｔ３３〜ｔ３４の間、照明器具５０の出力を出力Ｐ１３（％）で維持させる。すなわち、制御装置１００は、時刻ｔ３３からディレイ時間ＤＴ１３の間、照明器具５０の出力を出力Ｐ１３（％）で維持させる。そして、時刻ｔ３３からディレイ時間ＤＴ１３が経過した後、制御装置１００は、照明器具５０の出力を出力０（％）にする、すなわち照明器具５０は消灯される。このように、照明制御システム１は、動作モードとして「省エネモード」が選択されている場合、保持時間ＨＴ１３だけ照明器具５０の点灯を維持するように照明制御を行う。
【００３３】
上述したように、照明制御システム１においては、選択された動作モードに応じて、保持時間ＨＴ１１〜ＨＴ１３が設定される。したがって、照明制御システム１は、センサ１４０による人の検知が無くなってから、どの程度点灯を継続した後に照明器具５０を暗くするかを動作モードに応じて適宜設定することができる。例えば、照明制御システム１においては、センサ１４０の検知に基づく照明制御において、照明器具５０を調光することにより、任意の明るさに照明器具５０を制御可能である。そのため、照明制御システム１においては、人が不在になってから一定時間点灯を維持（点灯保持）し、不在時は消灯のほか、減光させる（不在時調光）ことや、減光に至るまで徐々に明るさを変化させるフェード動作〈フェード動作〉を行うことができる。このように、照明制御システム１は、照明制御における設定を容易化することができる。
【００３４】
なお、保持時間ＨＴ１１〜ＨＴ１３は、各々異なってもよいし、一部が同じであってもよい。また、照明器具５０の出力Ｐ１〜Ｐ３は、各々異なってもよいし、同じであってもよい。
【００３５】
［照明制御システム］
次に、本発明の実施形態に係る照明制御システム１の具体的な構成を、図２を用いて説明する。図２に示す例において、制御装置１００や照明器具５０は天井に設置される。また、図２に示す例においては、動作モードが「残置モード」に設定されている場合を示す。なお、照明制御システム１における動作モードは適宜変更可能である。例えば、利用者Ｕ１等が所定のリモコン等により、制御装置１００に動作モードを変更するように指示してもよい。また、利用者Ｕ１等が制御装置１００に設けられた変更スイッチ等を操作することにより、動作モードが変更されてもよい。
【００３６】
まず、図２の例では、時刻０〜ｔ０の間は、非検知時であるため、照明器具５０の出力は出力Ｐ１２（％）である。そして、制御装置１００のセンサ１４０が時刻ｔ０において人の存在の検知を開始する（ステップＳ１１）。例えば、利用者Ｕ１がセンサ１４０の検知する領域に入ったため、センサ１４０が人の存在を検知する。
【００３７】
ステップＳ１１における検知開始に応じて、制御装置１００は、照明器具５０に調光を指示する（ステップＳ１２）。具体的には、制御装置１００は、時刻ｔ０から在フェード時間ＥＴ１２が経過するまでの間、照明器具５０の出力を出力Ｐ２（％）まで徐々に増加させる。そして、制御装置１００から調光指示を受け付けた照明器具５０は、調光を行う（ステップＳ１３）。
【００３８】
ここで、図２の左側に示すように、時刻ｔ０から在フェード時間ＥＴ１２よりも長い時間ＳＴ１２に亘って人の検知が継続しているものとする。すなわち、図２の例では、時刻ｔ０から在フェード時間ＥＴ１２が経過後も人の存在を検知し続けているため、制御装置１００は、照明器具５０の出力を出力Ｐ２（％）で維持させる。
【００３９】
図２の例では、時刻ｔ０から時間ＳＴ１２が経過した時刻ｔ１において、センサ１４０が人の存在を検知しなくなり、検知を終了する（ステップＳ１４）。例えば、利用者Ｕ１がセンサ１４０の検知する領域外に移動したため、センサ１４０が人の存在の検知を終了する。
【００４０】
そして、制御装置１００は、時刻ｔ１から保持時間ＨＴ１２を開始する（ステップＳ１５）。例えば、制御装置１００は、照明器具５０の出力を出力Ｐ２（％）で維持させた状態で、時刻ｔ１から保持時間ＨＴ１２の計時を開始する。
【００４１】
その後、図２の右側に示すように、制御装置１００は、時刻ｔ１〜ｔ２の間は非検知時であるため、照明器具５０の出力を出力Ｐ２（％）で維持させる。すなわち、制御装置１００は、時刻ｔ１から保持時間ＨＴ１２の間、照明器具５０の出力を出力Ｐ２（％）で維持させる。そして、制御装置１００は、時刻ｔ１から時刻ｔ２まで経過した後、保持時間ＨＴ１２を終了する（ステップＳ１６）。例えば、制御装置１００は、照明器具５０の出力を出力Ｐ２（％）で維持させた状態で、時刻ｔ１から保持時間ＨＴ１２だけ計時した場合、保持時間ＨＴ１２を終了する。
【００４２】
ステップＳ１６における保持時間ＨＴ１２の終了に応じて、制御装置１００は、照明器具５０に減光を指示する（ステップＳ１７）。具体的には、制御装置１００は、時刻ｔ２から不在フェード時間ＮＴ１２が経過するまでの間、照明器具５０の出力を出力Ｐ１２（％）まで徐々に低下させる。そして、制御装置１００から減光指示を受け付けた照明器具５０は、減光を行う、すなわち徐々に出力を低下させる（ステップＳ１８）。その後、制御装置１００は、時刻ｔ２から不在フェード時間ＮＴ１２が経過した時刻ｔ３において、照明器具５０の減光を終了する（ステップＳ１９）。
【００４３】
［制御装置の構成例］
次に、図３を用いて、実施形態に係る制御装置１００の構成について説明する。図３は、実施形態に係る制御装置の構成を示すブロック図である。図３に示すように、制御装置１００は、通信部１１０と、記憶部１２０と、制御部１３０と、センサ１４０とを有する。
【００４４】
通信部１１０は、例えば、所定の通信回路等によって実現される。例えば、通信部１１０は、照明器具５０と通信可能である。また、通信部１１０は、利用者Ｕ１が利用する端末装置等の動作モードの変更を指示する外部装置と通信可能であってもよい。
【００４５】
記憶部１２０は、例えば、ＲＡＭ（Random  Access  Memory）、フラッシュメモリ（Flash  Memory）等の半導体メモリ素子、または、ハードディスク、光ディスク等の記憶装置によって実現される。実施形態に係る記憶部１２０は、図３に示すように、モード情報記憶部１２１と、照明情報記憶部１２２とを有する。
【００４６】
モード情報記憶部１２１は、動作モードに関する情報を記憶する。図４は、実施形態に係るモード情報記憶部に記憶される情報の一例を示す図である。具体的には、図４は、照明制御システム１における動作モードである通常モード、残置モード、省エネモードの各々に関する情報の一例を示す。図４に示すように、モード情報記憶部１２１は、動作モードに関する情報として、「モードＩＤ」、「選択」、「保持時間」、「在フェード時間」、「不在フェード時間」、「不在時出力」及び「ディレイ時間」といった項目を有する。なお、モード情報記憶部１２１が有する項目は上記に限らず、モード情報記憶部１２１は、目的に応じて種々の情報を記憶してもよい。
【００４７】
「モードＩＤ」は、動作モードを識別するための情報を示す。「選択」は、選択されている動作モードを示す。図４では、「選択」の値が「１」である動作モードが選択されているものとする。すなわち、図４では、モードＩＤ「Ｍ１２」により識別される動作モード（例えば残置モード）が選択されている。
【００４８】
また、「保持時間」は、対応する各動作モードの保持時間を示す。また、「在フェード時間」は、対応する各動作モードの在フェード時間を示す。また、「不在フェード時間」は、対応する各動作モードの不在フェード時間を示す。また、「不在時出力」は、対応する各動作モードにおける不在時（例えば非検知時）における照明器具５０の光出力を示す。また、「ディレイ時間」は、対応する各動作モードのディレイ時間を示す。
【００４９】
例えば、図４の例において、モードＩＤ「Ｍ１１」により識別される動作モードは、選択が「０」であり、選択された動作モードではないことを示す。また、モードＩＤ「Ｍ１１」により識別される動作モードは、保持時間が「保持時間ＨＴ１１」であり、在フェード時間が「在フェード時間ＥＴ１１」であり、不在フェード時間が「不在フェード時間ＮＴ１１」であることを示す。また、モードＩＤ「Ｍ１１」により識別される動作モードは、不在時出力が「０」、すなわち不在時において照明器具５０が消灯されることを示す。また、モードＩＤ「Ｍ１１」により識別される動作モードは、ディレイ時間が設定されていないことを示す。例えば、図４の例におけるモードＩＤ「Ｍ１１」により識別される動作モードは、図１に示す通常モードに対応する。
【００５０】
また、例えば、図４の例において、モードＩＤ「Ｍ１２」により識別される動作モードは、選択が「１」であり、選択された動作モードであることを示す。また、モードＩＤ「Ｍ１２」により識別される動作モードは、保持時間が「保持時間ＨＴ１２」であり、在フェード時間が「在フェード時間ＥＴ１２」であり、不在フェード時間が「不在フェード時間ＮＴ１２」であることを示す。また、モードＩＤ「Ｍ１２」により識別される動作モードは、不在時出力が「１０」（％）、すなわち不在時において照明器具５０が出力１０％で点灯を維持することを示す。また、モードＩＤ「Ｍ１２」により識別される動作モードは、ディレイ時間が設定されていないことを示す。例えば、図４の例におけるモードＩＤ「Ｍ１２」により識別される動作モードは、図１に示す残置モードに対応する。
【００５１】
また、例えば、図４の例において、モードＩＤ「Ｍ１３」により識別される動作モードは、選択が「０」であり、選択された動作モードではないことを示す。また、モードＩＤ「Ｍ１３」により識別される動作モードは、保持時間が「保持時間ＨＴ１３」であり、在フェード時間が「在フェード時間ＥＴ１３」であり、不在フェード時間が「不在フェード時間ＮＴ１３」であることを示す。また、モードＩＤ「Ｍ１３」により識別される動作モードは、不在時出力が「０」、すなわち不在時において照明器具５０が消灯されることを示す。また、モードＩＤ「Ｍ１３」により識別される動作モードは、ディレイ時間が「ディレイ時間ＤＴ１３」に設定されており、ディレイ時間において照明器具５０が出力１０％で点灯を維持することを示す。例えば、図４の例におけるモードＩＤ「Ｍ１３」により識別される動作モードは、図１に示す省エネモードに対応する。
【００５２】
照明情報記憶部１２２は、照明器具５０に関する情報を記憶する。図５は、実施形態に係る照明情報記憶部に記憶される情報の一例を示す図である。具体的には、図５は、照明制御システム１における照明器具５０に関する情報の一例を示す。図５に示すように、照明情報記憶部１２２は、照明器具５０に関する情報として、「照明ＩＤ」、「設置位置」といった項目を有する。なお、照明情報記憶部１２２が有する項目は上記に限らず、照明情報記憶部１２２は、目的に応じて種々の情報を記憶してもよい。例えば、照明情報記憶部１２２は、各照明器具５０の種別等を記憶してもよい。
【００５３】
「照明ＩＤ」は、照明器具５０を識別するための情報を示す。「設置位置」は、対応する照明器具５０が設置されている位置を示す。例えば、図５の例は、照明ＩＤ「５０−１」により識別される照明器具５０（例えば照明器具５０−１）は、位置ＬＣ１１に設置されていることを示す。また、例えば、図５の例において、照明ＩＤ「５０−２」により識別される照明器具５０（例えば照明器具５０−２）は、位置ＬＣ１２に設置されていることを示す。
【００５４】
図３の説明に戻って、制御部１３０は、各種の処理手順などを規定したプログラム及び所要データを格納するための内部メモリを有し、これらによって種々の処理を実行するが、特に本発明に密接に関連するものとしては、受信部１３１、選択部１３２、及び送信部１３３を有する。
【００５５】
受信部１３１は、外部装置から各種情報を受信する。例えば、受信部１３１は、照明器具５０から照明器具５０に関する情報を受信してもよい。また、受信部１３１は、外部装置から動作モードの変更の指示を受信してもよい。例えば、受信部１３１は、利用者Ｕ１が利用する端末装置から動作モードの変更の指示を受信してもよい。
【００５６】
選択部１３２は、動作モードを選択する。例えば、選択部１３２は、通常モード、残置モード、及び省エネモードのうち、いずれか１つを動作モードとして選択する。例えば、選択部１３２は、モード情報記憶部１２１に記憶されたモードＩＤ「Ｍ１１」〜「Ｍ１３」により識別される動作モードから、動作モードを選択してもよい。例えば、選択部１３２は、受信部１３１により受信された動作モードの変更の指示に応じて、動作モードを選択してもよい。例えば、選択部１３２は、選択された動作モードに応じて、モード情報記憶部１２１に記憶されたモードＩＤ「Ｍ１１」〜「Ｍ１３」により識別される動作モードに対応する項目「選択」を更新してもよい。例えば、選択部１３２は、モードＩＤ「Ｍ１３」により識別される動作モードが選択された場合、モード情報記憶部１２１に記憶されたモードＩＤ「Ｍ１３」により識別される動作モードに対応する項目「選択」のみを「１」にし、他のモードに対応する項目「選択」を「０」に更新してもよい。
【００５７】
送信部１３３は、外部装置に各種情報を送信する。例えば、送信部１３３は、照明器具５０に出力を変更させる情報を送信する。例えば、送信部１３３は、照明器具５０に調光を指示する情報を送信する。例えば、送信部１３３は、照明器具５０に減光を指示する情報を送信する。
【００５８】
センサ１４０は、所定の状態を検出可能な検出装置であり、例えば、人感センサである。なお、センサ１４０は、赤外線センサや超音波センサや可視光センサ等、目的に応じて種々のセンサが組み合わされて用いられてもよい。例えば、センサ１４０は、赤外線等を用いて、所定のエリア内に人の存在を検知した場合は、検知結果を制御部１３０に受け渡す。すなわち、センサ１４０は、検知した情報を制御部１３０へ受け渡す。なお、センサ１４０は、制御装置１００と一体であってもよいし、制御装置１００との情報の送受信が可能であれば、制御装置１００の外部に設けられた装置であってもよい。
【００５９】
［照明制御処理］
次に、照明制御システム１における照明制御の流れについて説明する。図６は、実施形態に係る照明制御の一例を示すフローチャートである。
【００６０】
まず、制御装置１００は、モードの選択を受信する（ステップＳ１０１）。例えば、制御装置１００は、利用者Ｕ１が利用する端末装置から動作モードの変更の指示を受信する。これにより、制御装置１００は、選択された動作モードに応じた動作を行う。
【００６１】
制御装置１００は、センサ１４０が人の存在を検知したかどうかを判定する（ステップＳ１０２）。制御装置１００は、センサ１４０が人の存在を検知していない場合（ステップＳ１０２：Ｎｏ）、ステップＳ１０２の処理を繰り返す。
【００６２】
一方、制御装置１００は、センサ１４０が人の存在を検知している場合（ステップＳ１０２：Ｙｅｓ）、センサ１４０による人の存在検知が在フェード時間を経過したかを確認する（ステップＳ１０３）。例えば、制御装置１００は、在フェード時間の間、照明器具を在フェードによる調光を行う。
【００６３】
制御装置１００は、センサ１４０による人の存在検知状態が継続して在フェード時間を経過していない場合（ステップＳ１０３：Ｎｏ）、ステップＳ１０２の処理を繰り返す。
【００６４】
一方、制御装置１００は、センサ１４０による人の存在検知状態が継続して在フェード時間を経過した場合（ステップＳ１０４：Ｙｅｓ）、ステップＳ１０４の処理に移行する。
【００６５】
制御装置１００は、センサ１４０が人の存在を検知したかどうかを判定する（ステップＳ１０４）。制御装置１００は、センサ１４０が人の存在を検知している場合（ステップＳ１０４：Ｙｅｓ）、ステップＳ１０４の処理を繰り返す。
【００６６】
一方、制御装置１００は、センサ１４０が人の存在を検知していない場合（ステップＳ１０４：Ｎｏ）、非検知状態で保持時間を経過するまで照明器具５０を点灯する（ステップＳ１０５）。例えば、制御装置１００は、非検知状態で保持時間を経過するまで照明器具５０の点灯を維持させる。また、例えば、制御装置１００は、保持時間内においてセンサ１４０が人の存在を検知した場合、再度非検知状態で保持時間を経過するまで照明器具５０の点灯を維持させる。
【００６７】
そして、制御装置１００は、保持時間経過後において、不在フェードにより照明器具５０を減光する（ステップＳ１０６）。例えば、制御装置１００は、不在フェード時間を経過する間において徐々に照明器具５０の出力を低下させる。このように、使用者は保持時間、在フェード時間、不在フェード時間等の設定をすることなく、各動作モードに応じた時間に関する設定を行うことができる。言い換えると、従来は設定項目が多くまたは自由度が高いためにかえって煩雑になっていた設定作業を簡略化し、人感センサの動作モードの設定作業によって、動作の時間に関する設定も完了させることができる。なお、動作モードを選択することによって、予め設定した時間が設定された後は、使用者が適宜この時間を変更できるようにしてもよい。
【００６８】
［動作モードにおける保持時間の変動］
上記の例においては、各動作モードにおける保持時間は一定の時間として説明したが、各動作モードにおける保持時間は変動してもよい。例えば、照明制御システム１は、所定の基準時間を用いて、基準時間と人の検知態様とに応じて保持時間が決定される。この点について、図７を用いて説明する。図７は、実施形態に係る動作モードにおける保持時間を変動させる照明制御を示す図である。また、以下では、説明のため、保持時間における照明器具５０の出力と同じ状態を「点灯」とし、非検知時における照明器具５０の出力の状態を「消灯」とする。
【００６９】
まず、図７の（Ａ）は、動作モードとして「通常モード」が選択されている場合における保持時間の変動の例を示す。図７の（Ａ）に示す例において、時刻を横軸とし、出力を縦軸とするグラフ、すなわち上側のグラフは、照明器具５０における光の出力を示す。また、照明器具５０における光の出力を示すグラフの横軸に対応付けて図示するグラフ、すなわち下側のグラフ（図７の（Ａ）中の一点鎖線で示すグラフ）は、制御装置１００のセンサ１４０における人の検知状態を示す。また、通常モードにおいては、非検知時は、保持時間や不在フェード時間以外は、照明器具５０は消灯される。なお、図７の（Ａ）における基準時間を基準時間ＢＴ２１として以下説明する。
【００７０】
ここで、図７の（Ａ）では、時刻ｔ４１よりも以前からセンサ１４０による人の存在検知が継続しているものとする。図７の（Ａ）では、時刻ｔ４１に人の存在が検知されなくなった場合を示す。そのため、図７の（Ａ）では、時刻ｔ４１から保持時間ＨＴ２１（＝基準時間ＢＴ２１）が開始する。
【００７１】
その後、制御装置１００は、時刻ｔ４１〜ｔ４２の間は非検知時であるため、照明器具５０の点灯を維持させる。すなわち、制御装置１００は、時刻ｔ４１から保持時間ＨＴ２１の間、照明器具５０の点灯を維持させる。時刻ｔ４１から保持時間ＨＴ２１が経過した時刻ｔ４２から、制御装置１００は、照明器具５０の出力を徐々に低下させる。例えば、制御装置１００は、時刻ｔ４２から不在フェード時間ＮＴ２１の間、すなわち時刻ｔ４２〜ｔ４４の間、照明器具５０を徐々に消灯させる。
【００７２】
ここで、図７の（Ａ）では、不在フェード時間ＮＴ２１が経過中である時刻ｔ４２〜ｔ４４の間の途中の時刻ｔ４３において、人の存在が検知される。この場合、制御装置１００は、不在フェードを終了し、照明器具５０を点灯状態に戻し、再度保持時間を計時しなおす。このとき、制御装置１００は、以前の保持時間ＨＴ２１を１分延長（増加）した保持時間ＨＴ２２を保持時間として用いる。これにより、照明制御システム１は、保持時間を適切な値に近づけることができる。なお、図７の（Ａ）では、説明のため、保持時間ＨＴ２２の計時の開始を時刻ｔ４３としているが、時刻ｔ４３における人の検知状態が終了した時刻から保持時間ＨＴ２２の計時を開始してもよい。
【００７３】
また、図７の（Ａ）では、時刻ｔ４３から保持時間ＨＴ２２の経過前であって、時刻ｔ４３から保持時間ＨＴ２２の３／４以上が経過した期間ＬＴ２１中の時刻ｔ４５において、人の存在が検知される。この場合、制御装置１００は、再度保持時間を計時しなおす。このとき、制御装置１００は、以前の保持時間ＨＴ２２を１分延長した保持時間ＨＴ２３を保持時間として用いる。また、時刻ｔ４３から保持時間ＨＴ２２の３／４以上が経過する前に人の存在が検知された場合、制御装置１００は、保持時間を延長することなく、再度保持時間を計時しなおす。これにより、照明制御システム１は、保持時間を適切な値に近づけることができる。なお、図７の（Ａ）では、説明のため、保持時間ＨＴ２３の計時の開始を時刻ｔ４５としているが、時刻ｔ４５における人の検知状態が終了した時刻から保持時間ＨＴ２３の計時を開始してもよい。
【００７４】
その後、制御装置１００は、時刻ｔ４５〜ｔ４６の間は非検知時であるため、照明器具５０の点灯を維持させる。時刻ｔ４５から保持時間ＨＴ２３が経過した時刻ｔ４６から、制御装置１００は、照明器具５０の出力を徐々に低下させる。例えば、制御装置１００は、時刻ｔ４６〜ｔ４７の間、照明器具５０の出力を徐々に低下させる。すなわち、制御装置１００は、時刻ｔ４６から不在フェード時間ＮＴ２１の間、照明器具５０の出力を徐々に低下させる。そして、制御装置１００は、時刻ｔ４６から不在フェード時間ＮＴ２１が人の存在を検知することなく経過した場合、次に保持時間として用いる保持時間ＨＴ２４を基準時間ＢＴ２１とする。すなわち、制御装置１００は、時刻ｔ４６から不在フェード時間ＮＴ２１が人の存在を検知することなく経過した場合、保持時間を基準時間ＢＴ２１にリセットする。
【００７５】
これにより、照明制御システム１は、保持時間を適切な値に近づけることができる。例えば、基準時間ＢＴ２１は１分であってもよい。また、保持時間は最大５分まで延長可能であってもよい。この場合、制御装置１００は、保持時間を延長する条件を満たした場合であっても、５分のままで保持時間を維持してもよい。すなわち、図７の（Ａ）に示す例において、照明制御システム１は、保持時間を１〜５分の範囲で変動可能であってもよい。
【００７６】
次に、図７の（Ｂ）を用いて、動作モードが「残置モード」や「省エネモード」である場合について説明する。図７の（Ｂ）は、動作モードとして「残置モード」が選択されている場合における保持時間の変動の例を示す。図７の（Ｂ）に示す例において、時刻を横軸とし、出力を縦軸とするグラフ、すなわち上側のグラフは、照明器具５０における光の出力を示す。また、照明器具５０における光の出力を示すグラフの横軸に対応付けて図示するグラフ、すなわち下側のグラフ（図７の（Ｂ）中の一点鎖線で示すグラフ）は、制御装置１００のセンサ１４０における人の検知状態を示す。また、残置モードにおいては、非検知時は、保持時間や不在フェード時間以外は、照明器具５０は消灯される。なお、図７の（Ｂ）における基準時間を基準時間ＢＴ３１として以下説明する。
【００７７】
ここで、図７の（Ｂ）では、時刻ｔ５１よりも以前からセンサ１４０による人の存在検知が継続しているものとする。図７の（Ｂ）では、時刻ｔ５１に人の存在が検知されなくなった場合を示す。そのため、図７の（Ｂ）では、時刻ｔ５１から保持時間ＨＴ３１（＝基準時間ＢＴ３１）が開始する。
【００７８】
その後、制御装置１００は、時刻ｔ５１〜ｔ５２の間は非検知時であるため、照明器具５０の点灯を維持させる。すなわち、制御装置１００は、時刻ｔ５１から保持時間ＨＴ３１の間、照明器具５０の点灯を維持させる。時刻ｔ５１から保持時間ＨＴ３１が経過した時刻ｔ５２から、制御装置１００は、照明器具５０の出力を徐々に低下させる。例えば、制御装置１００は、時刻ｔ５２から不在フェード時間ＮＴ３１の間、すなわち時刻ｔ５２〜ｔ５４の間、照明器具５０を徐々に消灯させる。
【００７９】
ここで、図７の（Ｂ）では、不在フェード時間ＮＴ３１が経過中である時刻ｔ５２〜ｔ５４の間の途中の時刻ｔ５３において、人の存在が検知される。この場合、制御装置１００は、不在フェードを終了し、照明器具５０を点灯状態に戻し、再度保持時間を計時しなおす。このとき、制御装置１００は、以前の保持時間ＨＴ３１を１分延長（増加）した保持時間ＨＴ３２を保持時間として用いる。これにより、照明制御システム１は、保持時間を適切な値に近づけることができる。なお、図７の（Ｂ）では、説明のため、保持時間ＨＴ３２の計時の開始を時刻ｔ５３としているが、時刻ｔ５３における人の検知状態が終了した時刻から保持時間ＨＴ３２の計時を開始してもよい。
【００８０】
その後、制御装置１００は、時刻ｔ５３〜ｔ５５の間は非検知時であるため、照明器具５０の点灯を維持させる。時刻ｔ５３から保持時間ＨＴ３２が経過した時刻ｔ５５から、制御装置１００は、照明器具５０の出力を徐々に低下させる。例えば、制御装置１００は、時刻ｔ５５〜ｔ５６の間、照明器具５０の出力を徐々に低下させる。すなわち、制御装置１００は、時刻ｔ５５から不在フェード時間ＮＴ３１の間、照明器具５０の出力を徐々に低下させる。そして、制御装置１００は、時刻ｔ５５から不在フェード時間ＮＴ３１が人の存在を検知することなく経過した場合、次に用いる保持時間として保持時間ＨＴ３２を１分短縮（減少）した保持時間ＨＴ３３を用いる。すなわち、制御装置１００は、時刻ｔ５５から不在フェード時間ＮＴ３１が人の存在を検知することなく経過した場合、保持時間をその時点の保持時間から１分短縮する。
【００８１】
これにより、照明制御システム１は、保持時間を適切な値に近づけることができる。例えば、基準時間ＢＴ３１は５分であってもよい。また、保持時間は最大１０分まで延長可能であってもよい。この場合、制御装置１００は、保持時間が１０分のときに保持時間を延長する条件を満たした場合であっても、１０分のままで保持時間を維持してもよい。また、制御装置１００は、保持時間が基準時間ＢＴ３１のときに保持時間を短縮する条件を満たした場合であっても、基準時間ＢＴ３１のままで保持時間を維持してもよい。すなわち、図７の（Ｂ）に示す例において、照明制御システム１は、保持時間を５〜１０分の範囲で変動可能であってもよい。
【００８２】
上述のように、照明制御システム１は、各動作モードにおける保持時間を変動させることにより、選択された動作モードとセンサ１４０による検知のタイミングとの情報により、照明器具５０の使用環境を推定し、環境に最適な設定値に自動で変化させることができる。すなわち、照明制御システム１は、環境の変動があっても再設定などの手間を発生させることなく、省エネ性と快適性を両立するような照明制御を行うことができる。このように、照明制御システム１においては、センサ１４０による検知に応じて保持時間が自動的に最適値へ変化していくため、照明制御システム１の管理者等の照明制御における設定操作は動作モードを選択するのみとなり、照明制御における設定を容易化することができる。
【００８３】
本発明の実施形態を説明したが、この実施形態は、例として提示したものであり、発明の範囲を限定することは意図していない。この実施形態は、その他の様々な形態で実施されることが可能であり、発明の要旨を逸脱しない範囲で、種々の省略、置き換え、変更を行うことができる。これらの実施形態やその変形は、発明の範囲や要旨に含まれると同様に、特許請求の範囲に記載された発明とその均等の範囲に含まれるものである。また、これらの実施形態やその変形は、処理内容を矛盾させない範囲で適宜組み合わせることが可能である。
【符号の説明】
【００８４】
１        照明制御システム
１００    制御装置
１１０    通信部
１２０    記憶部
１２１    モード情報記憶部
１２２    照明情報記憶部
１３０    制御部
１３１    受信部
１３２    選択部
１３３    送信部
１４０    センサ
５０      照明器具
【図１】
0006575262.tif 000002
【図２】
0006575262.tif 000003
【図３】
0006575262.tif 000004
【図４】
0006575262.tif 000005
【図５】
0006575262.tif 000006
【図６】
0006575262.tif 000007
【図７】
0006575262.tif 000008